(57)【要約】【課題】  携帯電話や携帯情報端末（ＰＤＡ）等から自宅のテレビチューナーにアクセスすることで、インターネット経由でテレビを見ることができるようにする。【解決手段】  ネットワーク経由でテレビを見るネットワークテレビシステムであって、ＡＤＳＬモデム等の外部ネットワーク変調装置３に接続したルーター等の外部ネットワーク機器２ＡもしくはＨＵＢ等の内部ネットワーク機器２Ｂに、アンテナ入力部４Ｄ、オーディオビデオ入力部（ＡＶＩＮ）４Ｅ、オーディオビデオ出力部（ＡＶＯＵＴ）４Ｆを配設したテレビ配信ビデオ圧縮可能なネットワークテレビチューナー１を接続して成るものとする。【選択図】      図１
2006333415.tif 000002
【特許請求の範囲】
【請求項１】
ネットワーク経由でテレビを視聴するネットワークテレビシステムであって、ＷＡＮ、インターネット、ＬＡＮ等のネットワーク網に接続されたＴＶチューナーに、コンポジット、Ｓ、Ｄ端子等の外部映像入出力、オーディオ、光等の外部音声入出力が配設されたネットワークテレビチューナーを接続して成ることを特徴とするネットワークテレビシステム。
【請求項２】
ネットワーク経由でテレビを視聴するネットワークテレビシステムであって、ＷＡＮ、インターネット、ＬＡＮ等の接続に使用するモデム、ルーター、ターミナルアダプタ、ハブ等のネットワーク機器のいずれかに、テレビ配信ビデオ圧縮可能なネットワークテレビチューナーを内蔵して成ることを特徴とするネットワークテレビシステム。
【請求項３】
ネットワーク経由でテレビを視聴するネットワークテレビシステムであって、ＷＡＮ、インターネット、ＬＡＮ等の接続に使用するモデム、ルーター、ターミナルアダプタ、ハブ等のネットワーク機器のいずれかに、後付装着可能としたテレビ配信ビデオ圧縮機能付きのカード型テレビチューナーユニットを備えて成ることを特徴とするネットワークテレビシステム。
【請求項４】
ネットワークテレビチューナー、カード型ネットワークテレビチューナーユニットに、ビデオ録画、各機能の設定、ファームウェアのアップロード、録画配信それぞれが可能なメモリーカードを装着可能としたことを特徴とする請求項１乃至３のいずれか記載のネットワークテレビシステム。
【請求項５】
ネットワーク経由でテレビを視聴するネットワークテレビシステムであって、映像、音声をＷＡＮ、インターネット、ＬＡＮ等を介してネットワーク配信し遠隔視聴録画させるネットワークプロセッサーを備え、当該プロセッサーに赤外線出力エンジンを内蔵して成ることを特徴とするネットワークテレビシステム。
【発明の詳細な説明】
【技術分野】
【０００１】
本発明は、海外、職場を問わずネットワーク経由でテレビ及びビデオを視聴することのできるネットワークテレビシステムに関する。
【背景技術】
【０００２】
従来、ローカルエリアネットワーク（ＬＡＮ）ビデオは、製品化されている。また、テレビの中にインターネットの接続装置を内蔵したインターネットテレビなるものも存在する。
【発明の開示】
【発明が解決しようとする課題】
【０００３】
しかしながら、従来のローカルエリアネットワーク（ＬＡＮ）ビデオは、ローカルエリアネットエリアより外のネットワークへのテレビ配信機能が無い。しかも、テレビの中にインターネットの接続装置を内蔵したインターネットテレビは有るが、ネットワークテレビチューナー単体としては未だ製品化されていないのが実情である。
【０００４】
そこで、本発明は叙上のような従来存した諸事情に鑑み創出されたもので、携帯電話や携帯情報端末（ＰＤＡ）等から自宅のテレビチューナーにアクセスすることで、海外、職場を問わずネットワーク経由でテレビを見ることができ、しかもホームネットワークでパソコン（ＰＣ）、セットトップボックス（ＳＴＢ）、ローカルエリアネットワーク（ＬＡＮ）、無線等を含むモニタがあれば何処でもリアルタイムでテレビが見られるものとしたネットワークテレビシステムを提供することを目的とする。
【課題を解決するための手段】
【０００５】
上記した目的を達成するために本発明にあっては、ネットワーク経由でテレビを見るネットワークテレビシステムであって、ＷＡＮ、インターネット、ＬＡＮ等の接続に使用するモデム、ルーター、ターミナルアダプタ、ハブ等のネットワーク機器にアンテナ入力、外部映像入出力（コンポジット、Ｓ、Ｄ端子等）、外部音声入出力（オーディオ、光等）が配設されたネットワークテレビチューナーを接続して成るものである。
【０００６】
また、ネットワーク経由でテレビを見るネットワークテレビシステムであって、ＷＡＮ、インターネット、ＬＡＮ等の接続に使用するモデム、ルーター、ターミナルアダプタ、ハブ等のネットワーク機器のいずれかに配信ビデオ圧縮可能なネットワークを内蔵して成るものとすることができる。
【０００７】
更に、ネットワーク経由でテレビを見るネットワークテレビシステムであって、ＷＡＮ、インターネット、ＬＡＮ等の接続に使用するモデム、ルーター、ターミナルアダプタ、ハブ等のネットワーク機器のいずれかに後付装着可能としたテレビ配信ビデオ圧縮機能付きのカード型テレビチューナーユニットを備えて成るものとすることができる。
【０００８】
加えてネットワークテレビチューナー、カード型ネットワークテレビチューナーユニットに、ビデオ録画、各機能の設定、ファームウェアのアップロード、録画配信それぞれが可能なメモリーカードを装着可能としたものとすることができる。
【０００９】
また、ネットワーク経由でテレビを視聴するネットワークテレビシステムであって、映像、音声をＷＡＮ、インターネット、ＬＡＮ等を介してネットワーク配信し遠隔視聴、録画させるネットワークプロセッサーを備え、当該プロセッサーに赤外線出力エンジンを内蔵して成るものとすることができる。
【発明の効果】
【００１０】
本発明によれば、携帯電話や携帯情報端末（ＰＤＡ）等から自宅のテレビチューナーにアクセスすることで、海外、職場を問わずネットワーク経由でテレビを見ることができ、しかもホームネットワークでパソコン（ＰＣ）、セットトップボックス（ＳＴＢ）、ローカルエリアネットワーク（ＬＡＮ）、無線等を含むモニタがあれば何処でもリアルタイムでテレビを見ることができる。
【００１１】
また、ネットワークテレビチューナー、或いはモデム、ターミナルアダプタ（ＴＡ）、ルーターのいずれかに内蔵されたテレビチューナー機能、或いはモデム、ターミナルアダプタ（ＴＡ）、ルーター等のネットワーク機器のいずれかに後付装着したカード型テレビチューナーユニットそれぞれには、テレビのネットワーク配信ビデオ圧縮機能を有するため、テレビの映像をＷＡＮ、インターネット、ＬＡＮ等のネットワーク網を通して他地点で容易に録画することができる。
【００１２】
更に、ネットワーク経由でテレビを見るネットワークテレビシステムであって、映像、音声を遠隔視聴、録画させるネットワークプロセッサーを備え、当該ネットワークプロセッサーに赤外線出力エンジンを内蔵して成るので、例えば外部ネットワークよりＡＶ入力された各種機器を容易に制御することができる。しかもネットワークプロセッサー自体は、パソコン（ＰＣ）で遠隔制御したり、或いは専用のセットトップボックス（ＳＴＢ）をセットすることでＴＶに直接接続してリモコン操作することができる。
【発明を実施するための最良の形態】
【００１３】
以下、本発明を実施する最良の形態を図面を参照して説明すると、図に示される符号１は、ネットワーク経由でテレビを見るネットワークテレビシステムを構築するためのネットワークテレビチューナーであり、図１に示すように、ＷＡＮ、インターネット等の外部ネットワークの相互接続に使用するモデム、ルーター等の外部ネットワーク機器である２Ａ、もしくはＬＡＮの様な内部ネットワーク構築に使用されるＨＵＢ等の内部ネットワーク機器２Ｂに接続され、外部ネットワーク機器２Ａ・内部ネットワーク機器２Ｂには、録画用ＬＡＮディスク、テレビ視聴や設定が可能な例えばノート型もしくはデスクトップ型のパソコン（ＰＣ）それぞれが接続されている。
【００１４】
また、内部ネットワーク機器２Ｂは外部ネットワーク機器２Ａに接続される。通常は内部ネットワーク機器２Ｂの機能を外部ネットワーク機器２Ａが内蔵している場合が多い。その上で、ＷＡＮ、インターネット等の外部ネットワークを接続する為の装置である、外部ネットワーク変調装置３に接続されている。ネットワークの構成によっては存在しない。そして、外部ネットワーク機器２Ａ・内部ネットワーク機器２Ｂには、例えば高画質デジタルテレビ等を接続可能とし且つテレビ配信ビデオ圧縮可能とする前記ネットワークテレビチューナー１を接続することでホームネットワークが構築されている。
尚、外部ネットワーク機器２Ａ・内部ネットワーク機器２Ｂを介さず、直接外部ネットワークにネットワークテレビチューナー１を接続し構築すること、又は外部ネットワーク変調装置３に直接ネットワークテレビチューナー１を接続することも可能である。
【００１５】
一方、外部ネットワーク変調装置３、もしくは外部ネットワーク機器２Ａは、テレビ視聴や設定が可能な例えばノート型もしくはデスクトップ型の外部パソコン、又は携帯電話、携帯情報端末（ＰＤＡ）等のモバイル機器等にインターネット網を介して接続され、携帯電話や携帯情報端末（ＰＤＡ）等からネットワークテレビチューナー１を介して設置先のビデオデッキ等の映像装置にアクセスすることでインターネット経由でテレビが見れるようにしてある。しかも、ネットワークチューナー１は、ネットワークを介して設置先にあるビデオデッキ等の映像装置を自由に遠隔操作する事が出来る様にしている。
【００１６】
すなわち、このネットワークテレビチューナー１は、ＴＶ放送波、ＡＶ入力信号をリアルタイムでデジタル変換して圧縮した後に、リアルタイムで内部及び外部ネットワーク上に配信するものとしている。このとき、外部パソコンやモバイル機器は、ナビセンター或いは設置先のＩＰアドレス、ＭＡＣアドレス、ＩＤ、パスワードの認証等によって管理されている。
【００１７】
ネットワークテレビチューナー１の具体的な構成としては、自体の背面側に、電源４Ａ、高速ユニバーサルシリアルバス（ＵＳＢ２）等のパソコン（ＰＣ）との接続Ｉ／Ｆ４Ｂ、ネットワーク端子４Ｃ、アンテナ入力部４Ｄ、オーディオビデオ入力部（ＡＶＩＮ）４Ｅ、オーディオビデオ出力部（ＡＶＯＵＴ）４Ｆが配設されている。このとき、高速ユニバーサルシリアルバス（ＵＳＢ２）等のパソコン（ＰＣ）との接続Ｉ／Ｆ  ４Ｂはネットワークテレビシステムを構成するためには無くても良い。
【００１８】
オーディオビデオ入力部（ＡＶＩＮ）４Ｅは、カメラ等を接続することでライブ放送を行うことができ、しかもマイク付ビデオカメラを接続することによりテレビ電話も可能としている。
【００１９】
また、オーディオビデオ出力部（ＡＶＯＵＴ）４ＦはＶＴＲ等の録画装置に原画録画が直接行えるものである。
【００２０】
更に、高速ユニバーサルシリアルバス（ＵＳＢ２）等のパソコン（ＰＣ）との接続Ｉ／Ｆ４Ｂは、パソコン（ＰＣ）より各種の設定を行なったり、パソコン（ＰＣ）にキャプチャーが可能となるものである。
【００２１】
また、ネットワーク端子 ４Ｃは、テレビ放送を常時ライブ出力するもので、内部及び外部ネットワークに出力状態となるようにしている。また、デジタル録画機器に録画することも可能である。
【００２２】
更に、アンテナ入力部４ＤよりＢＳデジタル、地上波ＴＶ、通信衛星（ＣＳ）、ケーブルテレビ（ＣＡＴＶ）等による放送波の受信が行なわれる。
【００２３】
このときネットワークテレビチューナー１自体の動作は、パソコン（ＰＣ）操作を使用しないで行なわれ、しかもネットワークテレビチューナー１に不図示の外部入力端子を利用することで監視映像も見られ、またテレビ電話も行えるようにすることもできる。
【００２４】
また、録画はＬＡＮデイスクに記録したり、或いは内部及び外部ネットワーク網を通して他地点でも行えるようにしている。更に、ネットワーク接続事業者（インターネットサービスプロバイダ（ＩＳＰ）等）に自分のテレビ録画を任せておき、必要なときにダウンロードして視聴できるようにしても良い。しかもネットワークテレビチューナー１自体は、著作権及び送信許可権等に抵触しないよう１対１のテレビ配信が行えるように構成している。
【００２５】
次に、以上のように構成された最良の形態についての使用、動作の一例を説明する。図１に示すように、ホームネットワークを構成する外部ネットワーク機器２Ａ・内部ネットワーク機器２Ｂ、外部ネットワーク変調装置３により、テレビ視聴や設定が可能な例えばノート型もしくはデスクトップ型の外部パソコン、又は携帯電話、携帯情報端末（ＰＤＡ）等のモバイル機器等にＷＡＮ、インターネットなどの外部ネットワークを介して接続され、当該外部パソコン、携帯電話、携帯情報端末（ＰＤＡ）等からホームネットワーク側のネットワークテレビチューナー１をを介して自宅のテレビチューナーにアクセスする事で、ネットワークテレビチューナー１に接続された自宅のテレビチューナー、ビデオ等の映像装置から送り出される映像をネットワーク経由で見る。
【００２６】
このとき、ネットワークテレビチューナー１自体の動作は、ホームネットワーク側のパソコン（ＰＣ）操作を経由せずに、外部パソコン、携帯電話、携帯情報端末（ＰＤＡ）等からの単独操作で行なわれる。しかも、ネットワークテレビチューナー１に外部入力端子を利用することで監視映像も見られる。また、テレビ映像の録画は内部ネットワーク機器２Ｂを介してホームネットワーク上のＬＡＮデイスクに記録される。しかもこの録画は、インターネット網による通信回線を通して他地点にある外部パソコン、携帯電話、携帯情報端末（ＰＤＡ）等で行なう。
【００２７】
また、本発明に係るネットワークテレビシステムを構築するための他の構成としては、図２に示されるように、ＡＤＳＬモデム、ＯＮＵ、ＣＡＴＶモデム等の外部ネットワーク変調装置３、或いはルーターなどの外部ネットワーク機器２Ａ等の機器に、テレビ配信ビデオ圧縮機能付のカード型テレビチューナーユニット５を後付するように構成する。例えば、ネットワークテレビチューナー１で外部ネットワーク変調装置３、外部ネットワーク機器２Ａ、にスロットを装着し、これにカード型テレビチューナーユニット５を装着したり取り外したりする。
【００２８】
また、これらの機器にカード型テレビチューナーユニット５自体が予め内蔵されている構成にしても良い。
【００２９】
更に、ネットワークテレビチューナー１、カード型テレビチューナーユニット５に、ビデオ録画、設定、ファームウェアのアップロード、録画配信それぞれが可能なメモリーカード６を装着できるようにしている。すなわち、図３に示すように、カード型テレビチューナーユニット５、或いはネットワークテレビチューナー１が内蔵された外部ネットワーク変調装置３や外部ネットワーク機器２Ａ、カード型テレビチューナーユニット５がスロットＩＮされた外部ネットワーク変調装置３や外部ネットワーク機器２Ａ等にスロットを装着し、これにメモリーカード６が装着されることで、例えばテレビ番組を録画しておき、このメモリーカード６に録画されたテレビ番組を後から携帯電話、ＰＤＡ、ＰＣ等で視聴できるようにしている。
【００３０】
このように、ネットワークテレビチューナー１、カード型テレビチューナーユニット５にメモリーカード６を装着して録画すればテレビ番組をリアルタイムで録画でき、しかも録画されたメモリーカード６は持ち運び自由であらゆる機器で視聴することができる。
【００３１】
また、本発明に係るネットワークテレビシステムを構築するための更に他の構成としては、図４乃至図８に示されるように、ネットワークテレビチューナー１、カード型テレビチューナーユニット５内蔵のＶＴＲ、セットトップボックス（ＳＴＢ）等の映像、音声を遠隔視聴、録画させるためのネットワークプロセッサー１０に、ネットワーク制御可能な赤外線出力エンジンを内蔵して構成する。
【００３２】
このネットワークプロセッサー１０には、図４乃至図７に示すように、ネットワーク端子４Ｃ、オーディオビデオ入力部（ＡＶＩＮ）４Ｅ、オーディオビデオ出力部（ＡＶＯＵＴ）４Ｆ、バススロット７、ＬＥＤ付きの赤外線入出力部（ＩｒＤＡ）等のパソコン（ＰＣ）との接続Ｉ／Ｆ８が配設されている。そしてネットワーク端子４Ｃによってインターネット及びホームネットワークを介して、他地点にある外部パソコン、携帯電話、携帯情報端末（ＰＤＡ）等に接続されるものとし、更にセットトップボックス（ＳＴＢ）による遠隔地ビデオリモートを可能にしている。このネットワーク端子４Ｃとしては、ＬＡＮケーブルを使用する替わりに、無線ＬＡＮを使用しても良い。
【００３３】
また、このパソコン（ＰＣ）との接続Ｉ／Ｆ８により無線通信制御が可能であり、パソコンによる遠隔操作で、例えば、ＶＴＲ等のＡＶ出力をネットワーク上に流したり、ＶＴＲ等の録画済みコンテンツを他の機器にネットワークより録画したり、ビデオ機器に格納されたコンテンツを再録画、コピーさせたりすることができるように構成されている。
【００３４】
更に、ネットワークプロセッサー１０に専用のセットトップボックス（ＳＴＢ）をセットすることでＴＶに直接接続してリモコン操作することができる。例えば、ホームネットワーク上でＶＴＲ等の出力画面を見ながらリモコン操作をしたり、ネットワークを介し、国内外のＶＴＲ等の出力画面を見ながら遠隔でリモコン操作したりすることも可能にしている。このとき、外部リモコン制御は、有線、無線、シリアル制御を問わない。
【００３５】
また、ネットワークプロセッサー１０に装着されているバススロット７に、例えばメモリーカード、ハードディスク、光ディスク等を挿入することで、ビデオコンテンツの圧縮、録画、設定保存、機器のファームアップ等が可能となるようにしている。
【００３６】
このように、通常のリモコンは赤外線通信方式で片方向通信であるが、通常のＶＴＲ、セットトップボックス（ＳＴＢ）等は、ＴＶ、モニタに接続された場合、リモコン操作可能な人物がＴＶ画面を見ながらの操作で仮想（疑似）双方向通信が可能となる。例えば、パソコン、携帯端末の画面にビデオ映像とビデオコントロール画面がピクチャーされ、パソコン、携帯端末からビデオ操作が可能となる。尚、前記した赤外線入出力部（ＩｒＤＡ）８は、ビデオメーカーの選択ができるマルチ機能を有している。
【００３７】
具体的な赤外線リモコン９の形状としては、図８に示すように、ネットワークプロセッサー１０の赤外線送信形状をフリーアーム形状とすることにより、設置が簡単で、しかもＶＴＲ、セットトップボックス（ＳＴＢ）等に付属されたリモコン操作に影響を及ぼさないようにしている。
【図面の簡単な説明】
【００３８】
【図１】本発明を実施するための最良の形態におけるネットワークテレビシステムを構築するための構成図である。
【図２】同じくネットワークテレビシステムを構築するための他の構成による斜視図である。
【図３】同じくメモリーカードを装着可能にしたネットワークテレビシステムの一実施例を示す斜視図である。
【図４】ネットワークプロセッサーを使用したネットワークテレビシステムの一実施例を示す構成図である。
【図５】ネットワークプロセッサーを使用したネットワークテレビシステムの他の実施例を示す構成図である。
【図６】同じくネットワークプロセッサーを使用したネットワークテレビシステムの他の実施例を示す構成図である。
【図７】同じくネットワークプロセッサーを使用したネットワークテレビシステムの他の実施例を示す構成図である。
【図８】フリーアームによる赤外線リモコンの一実施例を示す平面図である。
【符号の説明】
【００３９】
１        ネットワークテレビチューナー
２Ａ      ルーター等の外部ネットワーク機器
２Ｂ      ＨＵＢ等の内部ネットワーク機器
３        モデム等の外部ネットワーク変調装置
４Ａ      電源
４Ｂ      高速ユニバーサルシリアルバス（ＵＳＢ２）等のパソコン（ＰＣ）との接続Ｉ／Ｆ
４Ｃ      ネットワーク端子
４Ｄ      アンテナ入力部
４Ｅ      オーディオビデオ入力部（ＡＶＩＮ）
４Ｆ      オーディオビデオ出力部（ＡＶＯＵＴ）
５        カード型テレビチューナーユニット
６        メモリーカード
７        バススロット
８        赤外線入出力部（ＩｒＤＡ）等のパソコン（ＰＣ）との接続Ｉ／Ｆ
９        赤外線リモコン
【図１】
2006333415.tif 000003
【図２】
2006333415.tif 000004
【図３】
2006333415.tif 000005
【図４】
2006333415.tif 000006
【図５】
2006333415.tif 000007
【図６】
2006333415.tif 000008
【図７】
2006333415.tif 000009
【図８】
2006333415.tif 000010